(57)【要約】【課題】アダプタ通信のトラフィック制御の内容を容易に変更することが可能になる。【解決手段】接続部３１は、通信方式の変換を行うメディアアダプタ装置２と接続される。無線通信部３２は、無線回線事業者網８と接続する。制御部３３は、メディアアダプタ装置２および無線回線事業者網８を介して所定のネットワークと接続するアダプタ通信を行うルータ装置１とメディアアダプタ装置２とのそれぞれに設定されたアダプタ通信に係るパラメータを、無線通信部３２と無線回線事業者網８との間の通信状態に基づいて変更する。【選択図】図１
2014175691.tif 000002
【特許請求の範囲】
【請求項１】
通信方式の変換を行うメディアアダプタ装置と接続される接続部と、
無線回線事業者網と通信する無線通信部と、
前記メディアアダプタ装置および前記無線回線事業者網を介して所定のネットワークと接続するアダプタ通信を行うルータ装置と前記メディアアダプタ装置とのそれぞれに設定された前記アダプタ通信に係るパラメータを、前記無線通信部と前記無線回線事業者網との間の通信状態に基づいて変更する制御部と、を備える無線通信端末。
【請求項２】
前記制御部は、前記ルータ装置が当該無線通信端末と通信するための通信情報を前記ルータ装置に通知することで、前記ルータ装置に前記パラメータを設定するための通信を確立させる、請求項１に記載の無線通信端末。
【請求項３】
前記制御部は、前記アダプタ通信を制御するための管理情報を、前記無線通信事業者網に接続された管理サーバから取得し、前記管理情報および前記通信状態に基づいて前記パラメータを変更する、請求項１または２に記載の無線通信端末。
【請求項４】
前記制御部は、前記管理情報として、前記無線通信部と前記無線回線事業者網との通信プロトコルに応じたデータ形式を有する、前記アダプタ通信による通信先までの経路情報を取得し、前記ルータ装置が使用しているルーティングプロトコルに応じて、前記取得した経路情報のデータ形式を変換する、請求項３に記載の無線通信端末。
【請求項５】
前記制御部は、前記ルータ装置または前記メディアアダプタ装置が前記アダプタ通信を制御するための制御情報を前記無線通信端末に通知するように、前記ルータ装置または前記メディアアダプタ装置のパラメータを変更する、請求項１ないし４のいずれか１項に記載の無線通信端末。
【請求項６】
前記制御情報は、前記ルータ装置または前記メディアアダプタ装置が前記アダプタ通信を用いて送信するデータを一時記憶するバッファの状態を示す情報であり、
前記制御部は、前記制御情報に基づいて、前記バッファのサイズを変更する、請求項１ないし６のいずれか１項に記載の無線通信端末。
【請求項７】
前記制御部は、前記メディアアダプタ装置が当該メディアアダプタ装置自身のインタフェースの状態を前記無線通信端末に通知するように、前記メディアアダプタ装置のパラメータを変更する、請求項１ないし６のいずれか１項に記載の無線通信端末。
【請求項８】
無線回線事業者網と接続された無線通信端末と、
前記無線通信端末と接続されたメディアアダプタ装置と、
前記メディアアダプタ装置および前記無線通信端末を介して所定のネットワークと接続するアダプタ通信を確立するルータ装置と、を備え、
前記無線通信端末は、前記ルータ装置および前記メディアアダプタ装置のそれぞれに設定された前記アダプタ通信に係るパラメータを、前記無線通信部と前記無線回線事業者網との間の通信状態に基づいて変更する、通信システム。
【請求項９】
通信方式の変換を行うメディアアダプタ装置と接続される接続部と、
無線回線事業者網と通信する無線通信部と、を備える無線通信端末が、
前記メディアアダプタ装置および前記無線回線事業者網を介して所定のネットワークと接続するアダプタ通信を確立するルータ装置と前記メディアアダプタ装置とのそれぞれに設定された前記アダプタ通信に係るパラメータを、前記無線通信部と前記無線回線事業者網との間の通信状態に基づいて変更する、通信システムの制御方法。
【請求項１０】
通信方式の変換を行うメディアアダプタ装置と接続される接続部と、
無線回線事業者網と通信する無線通信部と、を備える無線通信端末に、
前記メディアアダプタ装置および前記無線回線事業者網を介して所定のネットワークと接続するアダプタ通信を確立するルータ装置と前記メディアアダプタ装置とのそれぞれに設定された前記アダプタ通信に係るパラメータを、前記無線通信部と前記無線回線事業者網との間の通信状態に基づいて変更する手順を実行させるためのプログラム。
【発明の詳細な説明】
【技術分野】
【０００１】
本発明は、無線通信端末、通信システム、通信システムの制御方法、およびプログラムに関する。
【背景技術】
【０００２】
通信方式の変換を行うメディアアダプタ装置には、Ｅｔｈｅｒｎｅｔ（登録商標）などの有線通信方式の電気信号と無線回線事業者網で伝送される無線通信方式の信号との変換を行うものがある。このようなメディアアダプタ装置は、例えば無線回線事業者網と接続された無線通信端末、およびルータ装置と接続され、ルータ装置がメディアアダプタ装置、無線通信端末および無線回線事業者網を介して所定のネットワークに接続するために用いられることがある。
【０００３】
例えば特許文献１には、ルータ装置がメディアアダプタ装置および無線回線事業者網を介して所定のネットワークに接続する通信システムが開示されている。この通信システムでは、メディアアダプタ装置が無線回線事業者網とルータ装置とを接続させる接続処理を実行する。以下、ルータ装置がメディアアダプタ装置および無線回線事業者網を介して所定のネットワークに接続する通信をアダプタ通信と称する。
【０００４】
図１１は、特許文献１に記載された通信システムを説明するための図である。この通信システムは、ルータ装置９１と、メディアアダプタ装置９２と、無線通信端末９３とを有し、メディアアダプタ装置９２は、ルータ装置９１および無線通信端末９３とそれぞれ接続されている。また無線通信端末９３は、無線回線事業者網９４と接続されており、無線回線事業者網９４はインターネット網９５と接続されている。ルータ装置９１は、メディアアダプタ装置９２および無線回線事業者網９４を介してインターネット網９５に接続することができる。
【０００５】
またこの通信システムでは、ルータ装置９１とメディアアダプタ装置９２との間に、実際にデータを送受信するための接続とは別に、バッファ制御に係る処理を行うための管理用の接続が確立される。メディアアダプタ装置９２は、管理用の接続を確立するための通信情報を予め記憶しており、ルータ装置９１とケーブルを介して接続されると、通信情報をルータ装置９１に送信する。ルータ装置９１は、メディアアダプタ装置９２から受信した通信情報を用いて管理用の接続を確立する。
【０００６】
メディアアダプタ装置９２は、管理用の接続を用いて、バッファの状態や、メディアアダプタ装置９２と所定のネットワークとの間の通信速度をルータ装置９１に通知する。ルータ装置９１は、通知されたバッファの状態や通信速度に基づいて、バッファサイズや、ルータ装置９１とメディアアダプタ装置９２との間の通信速度を調整する。
【０００７】
このように、特許文献１に記載の通信システムでは、ルータ装置９１およびメディアアダプタ装置９２内に予め記憶された処理手順に従って、ルータ装置９１およびメディアアダプタ装置９２に設定されたパラメータをルータ装置９１が変更することで、アダプタ通信のバッファサイズや通信速度を調整するトラフィック制御が行われる。
【０００８】
アダプタ通信のトラフィック制御の内容を変更しようとする場合、ルータ装置９１およびメディアアダプタ装置９２内に予め記憶された処理手順を変更し、ルータ装置９１およびメディアアダプタ装置９２に設定されたパラメータを変更する必要がある。
【先行技術文献】
【特許文献】
【０００９】
【特許文献１】特開２０１２−９０１４８号公報
【発明の概要】
【発明が解決しようとする課題】
【００１０】
しかしながら、特許文献１に記載の通信システムは、ルータ装置９１およびメディアアダプタ装置９２内に予め記憶された処理手順や、ルータ装置９１およびメディアアダプタ装置９２に設定されたパラメータをネットワークを介して変更することに関する記載はない。したがって、アダプタ通信のトラフィック制御の内容を変更するためには、専門知識を有する人員がルータ装置９１およびメディアアダプタ装置９２の設置された場所に行かなければならなかった。
【００１１】
本発明の目的は、メディアアダプタ装置および無線回線事業者網を介してルータ装置が所定のネットワークに接続するアダプタ通信のトラフィック制御の内容を容易に変更することが可能な無線通信端末、通信システム、通信システムの制御方法、およびプログラムを提供することである。
【課題を解決するための手段】
【００１２】
本発明による無線通信端末は、
通信方式の変換を行うメディアアダプタ装置と接続される接続部と、
無線回線事業者網と通信する無線通信部と、
前記メディアアダプタ装置および前記無線回線事業者網を介して所定のネットワークと接続するアダプタ通信を行うルータ装置と前記メディアアダプタ装置とのそれぞれに設定された前記アダプタ通信に係るパラメータを、前記無線通信部と前記無線回線事業者網との間の通信状態に基づいて変更する制御部と、を有する。
【００１３】
また、本発明による通信システムは、
無線回線事業者網と接続された無線通信端末と、
前記無線通信端末と接続されたメディアアダプタ装置と、
前記メディアアダプタ装置および前記無線通信端末を介して所定のネットワークと接続するアダプタ通信を確立するルータ装置と、を備え、
前記無線通信端末は、前記ルータ装置と前記メディアアダプタ装置とのそれぞれに設定された前記アダプタ通信に係るパラメータを、前記無線通信部と前記無線回線事業者網との間の通信状態に基づいて変更する。
【００１４】
また、本発明による通信システムの制御方法は、
通信方式の変換を行うメディアアダプタ装置と接続される接続部と、
無線回線事業者網と通信する無線通信部と、を備える無線通信端末が、
前記メディアアダプタ装置および前記無線回線事業者網を介して所定のネットワークと接続するアダプタ通信を行うルータ装置と前記メディアアダプタ装置とのそれぞれに設定された前記アダプタ通信に係るパラメータを、前記無線通信部と前記無線回線事業者網との間の通信状態に基づいて変更する。
【００１５】
また、本発明によるプログラムは、
通信方式の変換を行うメディアアダプタ装置と接続される接続部と、
無線回線事業者網と通信する無線通信部と、を備える無線通信端末に、
前記メディアアダプタ装置および前記無線回線事業者網を介して所定のネットワークと接続するアダプタ通信を行うルータ装置と前記メディアアダプタ装置とのそれぞれに設定された前記アダプタ通信に係るパラメータを、前記無線通信部と前記無線回線事業者網との間の通信状態に基づいて変更する手順を実行させる。
【発明の効果】
【００１６】
本発明によれば、メディアアダプタ装置および無線回線事業者網を介してルータ装置が所定のネットワークに接続するアダプタ通信のトラフィック制御の内容を容易に変更することが可能である。
【図面の簡単な説明】
【００１７】
【図１】本発明の第１の実施形態にかかる通信システムの構成を示す図である。
【図２】図１の無線通信端末の構成を示すブロック図である。
【図３】図１の通信システムの動作について説明するための図である。
【図４】図１の通信システムで確立される通信を概略的に示した図である。
【図５】ルータ装置とメディアアダプタ装置との間で送受信される情報について説明するための図である。
【図６】図１の通信システムで行われるバッファ制御について説明するための図である。
【図７】図１の通信システムで行われるバッファ制御の動作について説明するための図である。
【図８】メディアアダプタ装置から無線通信端末に通知するデータの通知フォーマットの一例を示す図である。
【図９】メディアアダプタ装置から無線通信端末に通知するデータの通知フォーマットの一例を示す図である。
【図１０】本発明の第２の実施形態にかかる通信システムで確立される通信を概略的に示した図である。
【図１１】本発明に関連する技術について説明するための図である。
【発明を実施するための形態】
【００１８】
以下、本発明の実施形態について添付の図面を参照して説明する。なお、本明細書および図面において、同一の機能を有する構成要素については同じ符号を付することにより重複説明を省略する場合がある。
【００１９】
（第１の実施形態）
図１は、本発明の一実施形態にかかる通信システムの構成を示す図である。
【００２０】
図１に示す通信システムは、ルータ装置１と、メディアアダプタ装置２と、無線通信端末３と、管理サーバ４とを有する。
【００２１】
ルータ装置１は、ＬＡＮ（Ｌｏｃａｌ  Ａｒｅａ  Ｎｅｔｗｏｒｋ）ケーブル５を介してメディアアダプタ装置２と接続され、メディアアダプタ装置２は、コネクタ６を介して無線通信端末３と接続される。
【００２２】
ルータ装置１は、有線回線事業者網７と有線接続されている。また無線通信端末３は、無線回線事業者網８と無線接続されている。有線回線事業者網７および無線回線事業者網８は、それぞれインターネット網９と接続されている。
【００２３】
ルータ装置１は、ネットワーク間の通信を中継する通信装置であり、受信パケットの宛先情報に基づいた経路選択などを行う。ルータ装置１は、記憶部１０を有し、ルータ装置１に設定されるパラメータであるルータ設定パラメータなどを記憶する。なおインターネット網９は、ルータ装置１が接続する他のネットワークの一例であり、ルータ装置１がメディアアダプタ装置２および無線回線事業者網８を介してインターネット網９に接続する通信を、以下、アダプタ通信と称する。ルータ設定パラメータは、アダプタ通信を行う場合に用いる経路情報や、アダプタ通信で送信するデータを一時記憶するバッファのサイズや、ルータ装置１がアダプタ通信でデータを送信する場合のルータ装置１とメディアアダプタ装置２との間の通信速度などのアダプタ通信に係るパラメータを含む。なお、バッファは、ルータ装置１がアダプタ通信でデータを送信する場合に、このデータを一時記憶する記憶領域である。本実施形態では、ルータ装置１およびメディアアダプタ装置２のそれぞれがバッファを有する。
【００２４】
メディアアダプタ装置２は、ルータ装置１および無線通信端末３と接続され、通信方式の変換を行う。具体的には、メディアアダプタ装置２は、ルータ装置１が送受信するＥｔｈｅｒｎｅｔなどの有線通信方式の電気信号と無線通信端末３が送受信する無線通信方式の信号との変換を行う。メディアアダプタ装置２に設定されるパラメータは、メディアアダプタ装置２のバッファサイズや、メディアアダプタ装置２のインタフェースの状態を取得するためのパラメータなどアダプタ通信に係るパラメータを含む。
【００２５】
無線通信端末３は、無線回線事業者網８と接続する通信装置であり、例えば、スマートフォンやタブレット端末などの情報処理装置である。無線通信端末３は、記憶部１１を有し、通信システムの管理を行うための各種処理手順が記述されたプログラムである設定アプリケーションソフトウェアと、この設定アプリケーションソフトウェアを実行するときに用いられる各種の設定パラメータとが記憶されている。
【００２６】
無線通信端末３は、設定アプリケーションソフトウェアを実行することで、ルータ装置１およびメディアアダプタ装置２と管理用の通信を確立し、管理用の通信を用いてルータ装置１およびメディアアダプタ装置２を遠隔操作して、ルータ設定パラメータや、メディアアダプタ装置２に設定するパラメータなどのうちアダプタ通信に係るパラメータを変更する。
【００２７】
管理サーバ４は、通信システムを管理するための装置である。管理サーバ４は、無線通信端末３と通信することができる。管理サーバ４は、設定アプリケーションソフトウェアを記憶し、無線通信端末３に設定アプリケーションソフトウェアを提供する。また、管理サーバ４は、設定アプリケーションソフトウェアを実行している無線通信端末３からルータ装置１およびメディアアダプタ装置２の状態を示す情報を収集することもできる。
【００２８】
図２は、無線通信端末３の詳細な構成を説明するためのブロック図である。
【００２９】
無線通信端末３は、接続部３１、無線通信部３２、記憶部１１、および制御部３３を有する。
【００３０】
接続部３１は、メディアアダプタ装置２と接続するためのインタフェースである。無線通信端末３は、接続部３１を介してメディアアダプタ装置２と接続し、データの送受信を行うことができる。接続部３１は、制御部３３から入力されたデータをメディアアダプタ装置２に送信し、メディアアダプタ装置２から受信したデータを制御部３３に送信する。
【００３１】
無線通信部３２は、無線回線事業者網８と接続するための通信インタフェースであり、例えば無線信号を送受信するアンテナ（図示せず）と、無線回線事業者網８を介して送受信する無線信号に対する各種の信号処理を行う信号処理部（図示せず）とを含む。無線通信部３２は、制御部３３から入力されたデータを無線回線事業者網８に出力し、無線回線事業者網８から入力されたデータを制御部３３に出力する。
【００３２】
記憶部１１は、設定アプリケーションソフトウェアと、設定アプリケーションソフトウェアを実行しているときに制御部３３が用いる設定パラメータとを記憶する。
【００３３】
制御部３３は、無線通信端末３を制御する。制御部３３は、例えばＣＰＵ（Ｃｅｎｔｒａｌ  Ｐｒｏｃｅｓｓｉｎｇ  Ｕｎｉｔ）などの制御装置であり、記憶部１１に記憶されたプログラムを読み込み、その読み込んだプログラムを実行することで、各種の機能を実現する。なお、制御部３３は、設定アプリケーションソフトウェアを管理サーバ４からダウンロードして記憶部１１に記憶させる。
【００３４】
本実施形態では、制御部３３は、記憶部１１に記憶された設定アプリケーションソフトウェアを実行し、その設定アプリケーションソフトウェアに従って通信システムを制御する。具体的には、制御部３３は、ルータ装置１のアダプタ通信を中継する。また制御部３３は、ルータ装置１およびメディアアダプタ装置２と管理用の通信を確立し、管理用の通信を用いてルータ装置１およびメディアアダプタ装置２をそれぞれ遠隔操作する。制御部３３は、ルータ装置１およびメディアアダプタ装置２を遠隔操作することで、ルータ装置１およびメディアアダプタ装置２のそれぞれに設定されたアダプタ通信に係るパラメータを変更する。
【００３５】
例えば、制御部３３は、メディアアダプタ装置２が自身のバッファの状態を無線通信端末３に通知するように、メディアアダプタ装置２のパラメータを変更する。また、制御部３３は、メディアアダプタ装置２が自身のインタフェースの状態を無線通信端末３に通知するように、メディアアダプタ装置２のパラメータを変更する。また、制御部３３は、ルータ装置１およびメディアアダプタ装置２のバッファサイズを示すパラメータをそれぞれ変更する。また、制御部３３は、ルータ装置１がアダプタ通信でデータを送信する通信速度を示すパラメータを変更したり、ルータ装置１がアダプタ通信で用いる経路情報を示すパラメータを変更したりする。
【００３６】
また制御部３３は、管理サーバ４から受信した管理情報に基づいて、ルータ装置１およびメディアアダプタ装置２のそれぞれに設定されたアダプタ通信に係るパラメータを変更することもできる。管理サーバ４から受信した管理情報が、ルータ装置１およびメディアアダプタ装置２が解釈することのできないプロトコルに従ったデータ形式である場合、制御部３３は、この管理情報のデータ形式を変換する翻訳機能を有する。制御部３３は、この翻訳機能によってデータ形式を変換した管理情報に基づいて、ルータ装置１およびメディアアダプタ装置２のそれぞれに設定されたパラメータを変更する。
【００３７】
また、制御部３３は、ルータ装置１がメディアアダプタ装置２および無線通信端末３と管理用の通信を確立するための通信情報をルータ装置１に通知する。そしてルータ装置１が、通知された通信情報に基づいて無線通信端末３に管理用の通信を確立する旨の要求メッセージと、認証情報とを送信すると、制御部３３は、ルータ装置１から要求メッセージおよび認証情報を受信し、受信した認証情報に基づいて、認証処理を行う。
【００３８】
図３は、本発明の第１の実施形態にかかる通信システムの動作について説明するための図である。
【００３９】
ユーザは、管理サーバ４から設定アプリケーションソフトウェアをダウンロードした無線通信端末３と、メディアアダプタ装置２とをコネクタ６を介して接続し、メディアアダプタ装置２とルータ装置１とをＬＡＮケーブル５で接続する。またユーザは、メディアアダプタ装置２の電源をＯＮにする（ステップＳ１００）。
【００４０】
ルータ装置１は、ＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ）接続で、インターネットへの接続を要求する旨の要求メッセージと、インターネット接続に用いる接続パラメータとをメディアアダプタ装置２に送信する（ステップＳ１０１）。メディアアダプタ装置２は、この要求メッセージおよび接続パラメータを受信すると、この接続パラメータを確認して、この接続パラメータおよび要求メッセージを無線通信端末３に転送する（ステップＳ１０２）。無線通信端末３は、メディアアダプタ装置２から要求メッセージおよび接続パラメータを受信し、この要求メッセージおよび接続パラメータを無線回線事業者網８に転送してインターネット接続のための設定を要求する（ステップＳ１０３）。
【００４１】
無線回線事業者網８内でインターネット接続処理を行うサーバは、無線通信端末３が転送した要求メッセージおよび接続パラメータを受信する（ステップＳ１０４）。そして無線回線事業者網８内のサーバは、受信した接続パラメータに基づいて、ルータ装置１に設定する運用パラメータを決定し、この運用パラメータを無線通信端末３に転送する（ステップＳ１０５）。なお、運用パラメータは、アダプタ通信を制御するためにルータ装置１に設定されるパラメータである。無線通信端末３は、無線回線事業者網８内のサーバから運用パラメータを受信し、この運用パラメータをメディアアダプタ装置２に転送する転送処理を行う（ステップＳ１０６）。また、メディアアダプタ装置２は、無線通信端末３が転送した信号を受信し、この信号をＥｔｈｅｒｎｅｔで用いられる電気信号に変換する変換処理を行う（ステップＳ１０７）。ルータ装置１は、メディアアダプタ装置２から転送された信号に含まれる運用パラメータを自身に設定することで、メディアアダプタ装置２および無線回線事業者網８を介してインターネット網９に接続するインターネット接続を行う（ステップＳ１０８）。
【００４２】
一方、無線通信端末３は、ステップＳ１００でメディアアダプタ装置２の電源がＯＮにされると、通信情報をメディアアダプタ装置２に送信する（ステップＳ１０９）。メディアアダプタ装置２は、通信情報を受信し、ルータ装置１からの要求メッセージに対して応答するときに、応答メッセージのオプション部分に無線通信端末３から受信した通信情報を付加してルータ装置１に送信する（ステップＳ１１０）。これにより、ルータ装置１は、通信情報を入手することとなる（ステップＳ１１１）。
【００４３】
通信情報を入手したルータ装置１は、この通信情報を用いて、ＰＰＰｏＥでメディアアダプタ装置２に接続認証処理を要求する認証要求メッセージと、認証キーとをメディアアダプタ装置２に送信する（ステップＳ１１２）。メディアアダプタ装置２は、ルータ装置１から認証要求メッセージおよび認証キーを受信し、受信した認証要求メッセージおよび認証キーを無線通信端末３に送信する（ステップＳ１１３）。無線通信端末３は、認証要求メッセージおよび認証キーを受信すると、この認証キーを用いて認証処理を行う（ステップＳ１１４）。
【００４４】
一方、メディアアダプタ装置２は、認証要求メッセージに応じて、メディアアダプタ装置２にルータ装置１と接続するためのＩＰアドレスの割り当てを行い、割り当てたＩＰアドレスをルータ装置１に通知する（ステップＳ１１５）。ルータ装置１は、メディアアダプタ装置２から通知されたＩＰアドレスをルータ装置１自身に登録する（ステップＳ１１６）。
【００４５】
また、ルータ装置１は、通信情報に基づいて、ルータ装置１が無線通信端末３と直接接続するための設定パラメータの通知を無線通信端末３に要求する通知要求メッセージをメディアアダプタ装置２に送信し、設定パラメータをダウンロードする設定登録接続を行う。このときルータ装置１は、通信情報に基づいて認証キーおよび通知要求メッセージをメディアアダプタ装置２に送信する（ステップＳ１１７）。メディアアダプタ装置２は、この通知要求メッセージおよび認証キーについて通信方式の変換を行い、無線通信端末３に転送する（ステップＳ１１８）。無線通信端末３は、受信した認証キーに基づいて認証処理を行い、認証が成功した場合、この通知要求メッセージを管理サーバ４に送信する。そして無線通信端末３は、記憶部１１に記憶された設定パラメータをメディアアダプタ装置２に出力する（ステップＳ１１９）。管理サーバ４は、通知要求メッセージを無線通信端末３から受信する（ステップＳ１２０）。
【００４６】
ルータ装置１は、無線通信端末３から設定パラメータをダウンロードすると、この設定パラメータを用いて無線通信端末３と管理用の接続を確立する。管理用の接続が確立されると、無線通信端末３は、メディアアダプタ装置２がバッファの状態やインタフェースの状態を無線通信端末３に通知するようにメディアアダプタ装置２に設定されたパラメータを変更し、メディアアダプタ装置２のバッファの状態やインタフェースの状態を監視する。また、管理サーバ４は、ステップＳ１２０で通知要求メッセージを無線通信端末３から受信すると、アダプタ通信を制御するための運用パラメータを無線通信端末３に転送する。無線通信端末３は、管理サーバ４から運用パラメータを受信すると、受信した運用パラメータに基づいて、ルータ装置１およびメディアアダプタ装置２にそれぞれ設定されたパラメータを変更する。また、受信した運用パラメータのデータ形式がルータ装置１またはメディアアダプタ装置２が解釈できないデータ形式である場合、無線通信端末３は、この運用パラメータをルータ装置１またはメディアアダプタ装置２に設定するデータ形式に変換する翻訳処理を行って、ルータ装置１またはメディアアダプタ装置２を遠隔操作してパラメータを変更する（ステップＳ１２１〜ステップＳ１２４）。
【００４７】
また、管理サーバ４は、ネットワークの状態に応じて、運用パラメータが更新されると、この運用パラメータを無線通信端末３に通知する。更新される運用パラメータは、例えば経路情報である。ルータ装置１から通信先までの経路上にネットワーク断が発生し、使用することができない経路が生じた場合、管理サーバ４は、新たな経路情報を出力する（ステップＳ１２５）。
【００４８】
無線通信端末３は、更新された運用パラメータに基づいて、ルータ装置１またはメディアダプタ装置２に設定されたパラメータを変更する。ここでルータ装置１またはメディアアダプタ装置２が運用パラメータをそのままのデータ形式で解釈することができない場合、無線通信端末３は、この運用パラメータのデータ形式を変換してｔｅｌｎｅｔセッションを確立し、変換した運用パラメータをルータ装置１またはメディアアダプタ装置２に設定する（ステップＳ１２６）。ルータ装置１は、管理用の接続を介して、無線通信端末３によりパラメータが変更される（ステップＳ１２７）。
【００４９】
図４は、図１の通信システムで確立される通信を説明するための図である。上記ステップＳ１００からステップＳ１２７までの各処理によって、ルータ装置１は、メディアアダプタ装置２に対してＬＡＮケーブル５を介してＰＰＰｏＥ接続３００，３０１を確立する。またルータ装置１は、メディアアダプタ装置２を介してインターネット網９に接続するアダプタ通信と、無線通信端末の設定アプリケーションとの管理用接続であるｔｅｌｎｅｔ通信３０９，３１０とを確立する。また、無線通信端末３は、メディアアダプタ装置２と管理用接続３０３，３０４の通信を確立する。
【００５０】
図５は、ルータ装置１とメディアアダプタ装置２の間で行われるＰＰＰｏＥ接続で送受信される情報について説明するための図である。
【００５１】
ルータ装置１からメディアアダプタ装置２にＰＰＰｏＥ接続される際には、メディアアダプタ装置２は、メディアアダプタ装置２からルータ装置１に応答する情報に、オプション情報としてＶｅｎｄｅｒ−Ｓｐｅｃｉｆｉｃタグ２００と、追加サービス名タグ２０１とを追加する。
【００５２】
追加サービス名タグ２０１の値は、管理用接続のための別セッション用サービス名であり、Ｖｅｎｄｅｒ−Ｓｐｅｃｉｆｉｃタグ２００の値は、別セッションを起動するためのキーである。
【００５３】
図６は、本実施形態にかかるバッファ制御について説明するための図である。
【００５４】
ルータ装置１とメディアアダプタ装置２との間の通信速度と、メディアアダプタ装置２とインターネット網９との間の通信速度とは、通常異なる。ルータ装置１とメディアアダプタ装置２との間の通信速度が、メディアアダプタ装置２とインターネット網９との間の通信速度よりも遅い場合、ルータ装置１およびメディアアダプタ装置２は、それぞれ送信するデータをバッファに一時記憶して滞留させ、メディアアダプタ装置２とインターネット網９との間の通信速度に合わせて順次データを送出することができる。
【００５５】
しかしながら、バッファサイズ以上のデータが滞留してしまうと、ルータ装置１およびメディアアダプタ装置２は、送信するデータ４００を処理しきれず、その一部が送信されず、未送信データ４０１となるバッファ溢れと呼ばれる現象が発生する場合がある。
【００５６】
このバッファ溢れと呼ばれる現象は、例えば、メディアアダプタ装置２とインターネット網９との間で大きな遅延や、輻輳が生じた場合に発生しやすい。一度バッファ溢れが発生すると、ＴＣＰ（Ｔｒａｎｓｍｉｓｓｉｏｎ  Ｃｏｎｔｒｏｌ  Ｐｒｏｔｏｃｏｌ）の再送機能で未送信データが再送されることがあり、この場合、通信路上に出力されるデータ量が増えるため、さらに多くのデータがメディアアダプタ装置２に出力され、未送信データの量はさらに増える。
【００５７】
バッファ溢れは、バッファサイズを大きくすることや、ルータ装置１とメディアアダプタ装置２との間の通信速度を低下させるバッファ制御を行うことで抑制することが可能である。バッファ制御は、メディアアダプタ装置２とインターネット網９との間の通信速度およびバッファの状態に応じて行われることが望ましい。このため本実施形態では、無線通信端末３は、設定アプリケーションの機能で、メディアアダプタ装置２とインターネット網９との間の通信速度およびバッファの状態に応じたバッファ制御を行う。
【００５８】
図７は、本発明の第１の実施形態にかかる通信システムのバッファ制御の動作について説明するための図である。
【００５９】
図３に示したステップＳ１２７の処理により、管理用接続が確立されると、ルータ装置１は、現在のメディアアダプタ装置２のバッファの状態、無線回線事業者網８の回線速度、およびバッファの状態を判定するための閾値など通信システムの状態を確認するためのデータを無線通信端末３に送信する（ステップＳ２００）。
【００６０】
一方、メディアアダプタ装置２は、無線通信端末３からの設定に従い、定期的にメディアアダプタ装置２のバッファの状態を確認する（ステップＳ２０１）。
【００６１】
また、メディアアダプタ装置２は、確認したバッファの状態を示すデータを通知する。メディアアダプタ装置２は、例えば閾値を用いて、バッファに閾値以上のデータが記憶されているか否かを判定し、閾値以上のデータが記憶されている場合に、バッファ量が所定以上であることを示すデータを無線通信端末３に通知する。また、無線通信端末３に通知されるデータは、現在のバッファサイズや、データ量、判定に用いた閾値を含んでもよい（ステップＳ２０２）。
【００６２】
図８および図９は、メディアアダプタ装置２から無線通信端末３に通知するデータの通知フォーマットの一例を示す図である。メディアアダプタ装置２は、設定アプリケーションソフトウェアで予め決められた通知フォーマット５０７および５０８を用いて無線通信端末３にデータを通知する。
【００６３】
無線通信端末３は、無線回線事業者網８の回線速度を取得し、またメディアアダプタ装置２から受信したデータに基づき、現在の通信システムの状態を確認する（ステップＳ２０３）。そして無線通信端末３は、取得したデータに基づいて、設定パラメータを決定し、ルータ装置１に通知する（ステップＳ２０４）。
【００６４】
ルータ装置１は、無線通信端末３からデータの通知を受けると、このデータに基づいてバッファ状態を確認する（ステップＳ２０５）。
【００６５】
ルータ装置１は、バッファ溢れの状態であると判断すると、メディアアダプタ装置２と接続されたインタフェースのシェーピング処理を行い、ルータ装置１とメディアアダプタ装置２との間の通信速度を低下させる（ステップＳ２０６）。
【００６６】
また、ルータ装置１は、バッファサイズの調整処理を行う。ルータ装置１は、ルータ装置およびメディアアダプタ装置２に備わったバッファのサイズを増加させる（ステップＳ２０７）。
【００６７】
ルータ装置１は、ステップＳ２０６のシェーピング処理で通信速度を所定の値まで低下させた場合、および、ステップＳ２０７のバッファサイズ調整処理でバッファサイズを所定の値まで増加させた場合、再びステップＳ２０５のバッファ状態確認処理を行う。
【００６８】
また、ここでは図示していないが、ルータ装置１は、所定の限界値まで通信速度を低下させ、バッファサイズを増加させてもバッファ溢れの状態となる場合、さらに経路制御を行うこともできる。この場合、無線通信端末３が管理サーバ４から経路情報を取得して、この経路情報に基づいて経路制御が行われることもある。
【００６９】
以上説明したように、本実施形態によれば、通信方式の変換を行うメディアアダプタ装置２および無線回線事業者網８と接続された無線通信端末３は、メディアアダプタ装置２および無線回線事業者網８を介して所定のネットワークであるインターネット網９に接続するアダプタ通信を確立するルータ装置１およびメディアアダプタ装置２のそれぞれに設定されたアダプタ通信に係るパラメータを、無線通信部３２と無線回線事業者網８との間の通信情報に基づいて変更する。これにより、アダプタ通信のトラフィック制御が無線通信端末３により行われる。無線通信端末３は、無線回線事業者網８と接続されているため、ネットワークを介してアプリケーションをダウンロードしたり、ネットワークを介した設定変更を受け付けたりすることができる。このため、アダプタ通信のトラフィック制御の内容を容易に変更することが可能になる。
【００７０】
また、本実施形態によれば、ルータ装置１が無線通信端末３と通信を確立するための通信情報は、無線通信端末３からルータ装置１に通知され、この通信情報に基づいて、ルータ装置１のパラメータを変更するための通信が確立される。これにより、通信情報の内容を容易に変更することが可能になる。
【００７１】
また、本実施形態によれば、無線通信端末３は、アダプタ通信を制御するための管理情報を管理サーバ４から取得し、取得した管理情報に基づいて、ルータ装置１またはメディアアダプタ装置２のパラメータを変更する。これにより、管理情報を容易に変更することができ、アダプタ通信の制御をネットワークを介して行うことが可能になる。
【００７２】
また、管理情報は、アダプタ通信に係る経路情報であってもよい。また、無線通信端末３は、ルータ装置１が使用しているルーティングプロトコルに応じて、取得した経路情報のデータ形式を変換してルータ装置１のパラメータを変更することが可能である。これにより、新しいルーティングプロトコルがネットワーク上で利用される場合に、ルータ装置１が、このルーティングプロトコルに基づいてルータ装置１を制御するソフトウェアを実行することができない場合であっても、ルータ装置１を新しいルーティングプロトコルに従って動作させることが可能になる。
【００７３】
また、本実施形態によれば、無線通信端末３は、ルータ装置１およびメディアアダプタ装置２のパラメータを変更することで、ルータ装置１およびメディアアダプタ装置２にアダプタ通信を制御するための情報を通知させる。これにより、アダプタ通信の制御が無線通信端末３を介して行われるため、アダプタ通信の制御内容を容易に変更することが可能になる。
【００７４】
また、無線通信端末３は、アダプタ通信を制御するための情報として、ルータ装置１およびメディアアダプタ装置２バッファの状態を示す情報を通知させてもよい。そして無線通信端末３は、通知された情報に基づいて、バッファのサイズを変更することができる。これにより、アダプタ通信におけるバッファ溢れを抑制することができ、アダプタ通信のトラフィックを適切に制御することが可能になる。
【００７５】
また、本実施形態によれば、無線通信端末３は、メディアアダプタ装置２のパラメータを変更することで、無線通信端末３にインタフェースの状態を通知させる。これにより、メディアアダプタ装置２のインタフェースの状態ネットワークを介して把握することができるようになる。このため、メディアアダプタ装置２が故障した場合であっても、メディアアダプタ装置２が設置された現地まで行かなくても、故障原因を特定することが可能になる。
【００７６】
（第２の実施形態）
第１の実施形態では、ルータ装置１がメディアアダプタ装置２および無線回線事業者網８を介してインターネット網９に接続するアダプタ通信にＰＰＰｏＥを用いてが、本発明はかかる例に限定されず、アダプタ通信には、ＰＰＰｏＥ以外の方式が用いられてもよい。以下、アダプタ通信にＤＨＣＰ（Ｄｙｎａｍｉｃ  Ｈｏｓｔ  ＣＯｎｆｉｇｕｒａｔｉｏｎ  Ｐｒｏｔｏｃｏｌ）を用いる場合について第２の実施形態として説明する。
【００７７】
図１０は、本発明の第２の実施形態にかかる通信システムの動作について説明するための図である。
【００７８】
なお、本実施形態において、通信システムの構成や各構成要素の基本的な機能については、第１の実施形態と同様であるため、ここでは説明を省略する。
【００７９】
ルータ装置１は、ＰＰＰｏＥを用いてメディアアダプタ装置２と接続５０１を行う。そしてこの接続５０１を用いて、図３に示した各処理を行い、ステップＳ１２１に示した運用パラメータのダウンロードを行うと、インターネットに接続するアダプタ通信をＤＨＣＰクライアントへ変更し、ＤＨＣＰでインターネット接続５０２を行う。
【００８０】
また、このときセカンダリのＩＰアドレスを登録し、無線通信端末３をセカンダリネットワークのＤＨＣＰクライアントにすることを要求する要求メッセージ５０３を無線通信端末３に送信する。そしてルータ装置１は、ＤＨＣＰサーバとして機能し、無線通信端末３にＩＰアドレスを付与して、ＤＨＣＰの通信５０４を確立する。
【００８１】
以上説明したように、本実施形態においても、アダプタ通信のトラフィック制御の内容を容易に変更することが可能になる。
【００８２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００８３】
例えば、上記実施形態では、無線通信端末３は、スマートフォンまたはタブレット端末であることとしたが、本発明はかかる例に限定されない。例えば、無線通信端末３は、ゲーム機器、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ：携帯情報端末）、ナビゲーション装置、音楽再生装置、および映像処理装置などである。また映像処理装置には、カメラ、レコーダ、プレイヤなども含まれる。
【００８４】
また上記実施形態では、通信システムに含まれる各装置の構成および機能について説明したが、これら各装置により行われる方法や、各装置の実行する処理手順を記述したプログラム、このプログラムを記憶した記憶媒体などを提供することもできる。
【符号の説明】
【００８５】
１      ルータ装置
２      メディアアダプタ装置
３      無線通信端末
４      管理サーバ
５      ＬＡＮケーブル
６      コネクタ
７      有線回線事業者網
８      無線回線事業者網
９      インターネット網
１１    記憶部
３１    接続部
３２    無線通信部
３３    制御部
【図１】
2014175691.tif 000003
【図２】
2014175691.tif 000004
【図３】
2014175691.tif 000005
【図４】
2014175691.tif 000006
【図５】
2014175691.tif 000007
【図６】
2014175691.tif 000008
【図７】
2014175691.tif 000009
【図８】
2014175691.tif 000010
【図９】
2014175691.tif 000011
【図１０】
2014175691.tif 000012
【図１１】
2014175691.tif 000013